【事件の表示】
　特許第３３９９４７３号「浄水器」の請求項１ないし６に係る特許に対する特許異議の申立てについて、次のとおり決定する。
【結　論】
　訂正を認める。
　特許第３３９９４７３号の訂正後の請求項１〜６に係る特許を維持する。
【理　由】
１．手続きの経緯
　特許第３３９９４７３号の請求項１〜６に係る発明についての出願は、平成１３年１月１５日に出願した特願２００１−６２３４号の一部を平成１４年６月１８日に新たな特許出願としたものであって、平成１５年２月２１日にその発明について特許の設定登録がなされ、その後、その特許について、異議申立人小野　和広（以下、「申立人Ａ」という。）、及び三菱レイヨン株式会社（以下、「申立人Ｂ」という。）により特許異議の申立てがなされ、平成１６年５月２８日付けで取消理由通知がなされ、その指定期間内である平成１６年８月４日付けで特許権者より訂正請求がなされ、その後、申立人Ａ、Ｂに対し審尋がなされたところ、平成１６年１０月２５日付けで申立人Ｂよりのみ回答書が提出されたものである。
　　　　
２．訂正の適否
（１）訂正の内容
　本件訂正の内容は、本件特許明細書を訂正請求書に添付された訂正明細書のとおりに、すなわち訂正事項ａ〜ｃのとおりに訂正しようとするものである。
訂正事項ａ：本件特許明細書の特許請求の範囲の
「【請求項１】電池を水密に固定する電池カバーおよび電池ホルダを有し、電池カバーをバヨネット機構により脱着自在に電池ホルダに装着する浄水器であって、電池ホルダに陽極金具および陰極金具を設け、電池カバーに筒状の電池装着部を設け、その電池装着部に指を引っかけて電池を取り外すことができる切り欠きを設けるとともに、その電池装着部の外周において電池装着部に水が浸入するのを防いでいることを特徴とする浄水器。
【請求項２】電池を水密に固定する電池カバーおよび電池ホルダを有し、電池カバーをバヨネット機構により脱着自在に電池ホルダに装着する浄水器であって、電池ホルダに陽極金具および陰極金具を設け、電池カバーに筒状の電池装着部を設け、その電池装着部に指を引っかけて電池を取り外すことができる切り欠きを設けるとともに、その電池装着部の外周にＯリングを設けたことを特徴とする浄水器。
【請求項３】電池カバーの電池ホルダ装着時における外表面に凹部を設けた、請求項１または２に記載の浄水器。
【請求項４】電池カバーの電池ホルダ装着時における外表面に電池の規格および／または電池カバーの回転方向を刻印した、請求項１〜３のいずれかに記載の浄水器。
【請求項５】ボタン形またはコイン形のリチウム電池を装着する、請求項１〜４のいずれかに記載の浄水器。
【請求項６】蛇口に支持固定される蛇口直結型である、請求項１〜５のいずれかに記載の浄水器。」を、
「【請求項１】電池を水密に固定する電池カバーおよび電池ホルダを有し、電池カバーをバヨネット機構により脱着自在に電池ホルダに装着する浄水器であって、電池ホルダに陽極金具および陰極金具を設け、陽極金具および陰極金具がそれぞれリード線で制御部に結線され、水がリード線をつたって陽極金具、陰極金具、および電池装着部に浸入することが防がれており、さらに、電池カバーに筒状の電池装着部を設け、その電池装着部に指を引っかけて電池を取り外すことができる切り欠きを設けるとともに、その電池装着部の外周において電池装着部に水が浸入するのを防いでいることを特徴とする浄水器。
【請求項２】電池を水密に固定する電池カバーおよび電池ホルダを有し、電池カバーをバヨネット機構により脱着自在に電池ホルダに装着する浄水器であって、電池ホルダに陽極金具および陰極金具を設け、陽極金具および陰極金具がそれぞれリード線で制御部に結線され、リード線はゴムキャップを介して電池ホルダーに固定されており、さらに、電池カバーに筒状の電池装着部を設け、その電池装着部に指を引っかけて電池を取り外すことができる切り欠きを設けるとともに、その電池装着部の外周にＯリングを設けたことを特徴とする浄水器。
【請求項３】電池カバーの電池ホルダ装着時における外表面に凹部を設けた、請求項１または２に記載の浄水器。
【請求項４】電池カバーの電池ホルダ装着時における外表面に電池の規格および／または電池カバーの回転方向を刻印した、請求項１〜３のいずれかに記載の浄水器。
【請求項５】ボタン形またはコイン形のリチウム電池を装着する、請求項１〜４のいずれかに記載の浄水器。
【請求項６】蛇口に支持固定される蛇口直結型である、請求項１〜５のいずれかに記載の浄水器。」と訂正する。
訂正事項ｂ：本件特許明細書の段落【０００５】の
「【課題を解決するための手段】上記課題を達成するための本発明は、電池を水密に固定する電池カバーおよび電池ホルダを有し、電池カバーをバヨネット機構により脱着自在に電池ホルダに装着する浄水器であって、電池ホルダに陽極金具および陰極金具を設け、電池カバーに筒状の電池装着部を設け、その電池装着部に指を引っかけて電池を取り外すことができる切り欠きを設けるとともに、その電池装着部の外周において電池装着部に水が浸入するのを防いでいる浄水器を特徴とするものである。また、本発明は、電池を水密に固定する電池カバーおよび電池ホルダを有し、電池カバーをバヨネット機構により脱着自在に電池ホルダに装着する浄水器であって、電池ホルダに陽極金具および陰極金具を設け、電池カバーに筒状の電池装着部を設け、その電池装着部に指を引っかけて電池を取り外すことができる切り欠きを設けるとともに、その電池装着部の外周にＯリングを設けた浄水器を特徴とするものである。」を、
「【課題を解決するための手段】上記課題を達成するための本発明は、電池を水密に固定する電池カバーおよび電池ホルダを有し、電池カバーをバヨネット機構により脱着自在に電池ホルダに装着する浄水器であって、電池ホルダに陽極金具および陰極金具を設け、陽極金具および陰極金具がそれぞれリード線で制御部に結線され、水がリード線をつたって陽極金具、陰極金具、および電池装着部に浸入することが防がれており、さらに、電池カバーに筒状の電池装着部を設け、その電池装着部に指を引っかけて電池を取り外すことができる切り欠きを設けるとともに、その電池装着部の外周において電池装着部に水が浸入するのを防いでいる浄水器を特徴とするものである。また、本発明は、電池を水密に固定する電池カバーおよび電池ホルダを有し、電池カバーをバヨネット機構により脱着自在に電池ホルダに装着する浄水器であって、電池ホルダに陽極金具および陰極金具を設け、陽極金具および陰極金具がそれぞれリード線で制御部に結線され、リード線はゴムキャップを介して電池ホルダーに固定されており、さらに、電池カバーに筒状の電池装着部を設け、その電池装着部に指を引っかけて電池を取り外すことができる切り欠きを設けるとともに、その電池装着部の外周にＯリングを設けた浄水器を特徴とするものである。」と訂正する。
訂正事項ｃ：本件特許明細書の段落【００６１】の
「【発明の効果】本発明の浄水器は、電池を水密に固定する電池カバーおよび電池ホルダを有し、電池カバーをバヨネット機構により脱着自在に電池ホルダに装着する浄水器であって、電池ホルダに陽極金具および陰極金具を設け、電池カバーに筒状の電池装着部を設け、その電池装着部に指を引っかけて電池を取り外すことができる切り欠きを設けるとともに、その電池装着部の外周において電池装着部に水が浸入するのを防いでいる、もしくはその電池装着部の外周にＯリングを設けたので、電池が寿命に達して交換が必要であるときに、容易に電池を取り外して交換することができる。また、電池の設置スペースのために本体部が著しく大型化したり、電池を設置することで著しく重量が増加することはなく、電池設置のために大幅にコストアップすることもない。」を、
「【発明の効果】本発明の浄水器は、電池を水密に固定する電池カバーおよび電池ホルダを有し、電池カバーをバヨネット機構により脱着自在に電池ホルダに装着する浄水器であって、電池ホルダに陽極金具および陰極金具を設け、陽極金具および陰極金具がそれぞれリード線で制御部に結線され、水がリード線をつたって陽極金具、陰極金具、および電池装着部に浸入することが防がれており、さらに、電池カバーに筒状の電池装着部を設け、その電池装着部に指を引っかけて電池を取り外すことができる切り欠きを設けるとともに、その電池装着部の外周において電池装着部に水が浸入するのを防いでいる、もしくは、電池を水密に固定する電池カバーおよび電池ホルダを有し、電池カバーをバヨネット機構により脱着自在に電池ホルダに装着する浄水器であって、電池ホルダに陽極金具および陰極金具を設け、陽極金具および陰極金具がそれぞれリード線で制御部に結線され、リード線はゴムキャップを介して電池ホルダーに固定されており、さらに、電池カバーに筒状の電池装着部を設け、その電池装着部に指を引っかけて電池を取り外すことができる切り欠きを設けるとともに、その電池装着部の外周にＯリングを設けたので、電池が寿命に達して交換が必要であるときに、容易に電池を取り外して交換することができる。また、電池の設置スペースのために本体部が著しく大型化したり、電池を設置することで著しく重量が増加することはなく、電池設置のために大幅にコストアップすることもない。」と訂正する。
（２）訂正の目的の適否、新規事項の有無及び特許請求の範囲の拡張又は変更の存否
　上記訂正事項ａは、請求項１及び２の「陽極金具」及び「陰極金具」について「陽極金具および陰極金具がそれぞれリード線で制御部に結線され、水がリード線をつたって陽極金具、陰極金具、および電池装着部に浸入することが防がれており」と限定するものであるから、特許請求の範囲の減縮を目的とする訂正に該当する。そして、訂正事項ａは、段落【００３４】及び図１１に基づくものであるから、願書に添付した明細書又は図面に記載された事項の範囲内の訂正であり、新規事項の追加に該当せず、また、実質上特許請求の範囲を拡張し又は変更するものではない。また、上記訂正事項ｂ、ｃは、訂正事項ａと整合を図るとともに、特許請求の範囲の記載と整合を図るものであるから、明りょうでない記載の釈明を目的とする訂正に該当する。そして、訂正事項ｂ〜ｃは、訂正事項ａで見たとおり、願書に添付した明細書又は図面に記載された事項の範囲内の訂正であり、新規事項の追加に該当せず、また、実質上特許請求の範囲を拡張し又は変更するものではない。
（３）むすび
　以上のとおりであるから、上記訂正は、特許法第１２０条の４第２項及び同条第３項において準用する特許法第１２６条第２項から第４項までの規定に適合するので、当該訂正を認める。
　　　　　　　　　
３．特許異議の申立てについて
３−１．本件発明                             　
　上記のとおり、訂正は認められるから、訂正後の本件請求項１〜６に係る発明（以下、それぞれ「本件発明１」〜「本件発明６」という。）は、訂正明細書の特許請求の範囲の請求項１〜６に記載された次のとおりのものである。
【請求項１】電池を水密に固定する電池カバーおよび電池ホルダを有し、電池カバーをバヨネット機構により脱着自在に電池ホルダに装着する浄水器であって、電池ホルダに陽極金具および陰極金具を設け、陽極金具および陰極金具がそれぞれリード線で制御部に結線され、水がリード線をつたって陽極金具、陰極金具、および電池装着部に浸入することが防がれており、さらに、電池カバーに筒状の電池装着部を設け、その電池装着部に指を引っかけて電池を取り外すことができる切り欠きを設けるとともに、その電池装着部の外周において電池装着部に水が浸入するのを防いでいることを特徴とする浄水器。
【請求項２】電池を水密に固定する電池カバーおよび電池ホルダを有し、電池カバーをバヨネット機構により脱着自在に電池ホルダに装着する浄水器であって、電池ホルダに陽極金具および陰極金具を設け、陽極金具および陰極金具がそれぞれリード線で制御部に結線され、リード線はゴムキャップを介して電池ホルダーに固定されており、さらに、電池カバーに筒状の電池装着部を設け、その電池装着部に指を引っかけて電池を取り外すことができる切り欠きを設けるとともに、その電池装着部の外周にＯリングを設けたことを特徴とする浄水器。
【請求項３】電池カバーの電池ホルダ装着時における外表面に凹部を設けた、請求項１または２に記載の浄水器。
【請求項４】電池カバーの電池ホルダ装着時における外表面に電池の規格および／または電池カバーの回転方向を刻印した、請求項１〜３のいずれかに記載の浄水器。
【請求項５】ボタン形またはコイン形のリチウム電池を装着する、請求項１〜４のいずれかに記載の浄水器。
【請求項６】蛇口に支持固定される蛇口直結型である、請求項１〜５のいずれかに記載の浄水器。
　　　
３−２．取消理由通知の概要
　訂正前の請求項１〜６に係る発明は、引用文献１〜８に記載された発明に基づいて当業者が容易に発明をすることができたものであるから、訂正前の請求項１〜６に係る発明の特許は特許法第２９条第２項の規定に違反してなされたものであるから、取り消されるべきである。
  　　　
３−３．引用文献の記載内容
（１）引用文献１：特開平７−９２２７８号公報（申立人Ｂが提示した甲第１号証）
　引用文献１には「寿命インジケーター及びカートリッシ」に関して次の事項が記載されている。
（ア）「本発明は、総通水量に基づいて寿命が決まる機器の寿命を示す寿命インジケーター、及びその寿命インジケーターを備えた浄水器用・・・のカートリッジに関するものである。」（段落【０００１】）
（イ）「インジケーター２０は、図３に示す回路１０及び通水路１３０を備えている。回路１０は、・・・コイン型のリチウム一次電池２３と・・・とを備えている。・・・に設けられている。」（段落【００１２】）
（ウ）「上記構成のインジケーター２０は、カートリッジ１３に着脱自在に取付けられているので、・・・電池２３を入れ換えて新たなカートリッジに取り付けて使用することができる。（実施例２）図５は本実施例のカートリッジを用いた浄水器を示す正面図である。図において、１ａは浄水器であり、水道管２の先端に、水道水出口２ａとは別の浄水出口１１を有するように設けられている。浄水器１ａは、・・・インジケーター２０が着脱自在に設けられている。」（段落【００２２】）
（２）引用文献２：特許第２９００１２１号公報（申立人Ａが提示した甲第３号証、申立人Ｂが提示した甲第２号証の特許公報）
　引用文献２には「補聴器」に関して次の事項が記載されている。
（ア）「【請求項１】ボタン形電池を弾性的に保持する電池保持手段を、補聴器ケースに形成した凹部に嵌合することにより、上記電池保持手段が上記凹部の蓋材となると共に上記ボタン形電池が上記補聴器ケースに装填されることを特徴とする補聴器。
【請求項２】上記電池保持手段は、上記ボタン形電池の直径よりも若干大きい直径を有する弾性材からなる電池保持壁の内壁に複数の突条部を形成してなり、上記ボタン形電池を各上記突条部に当接した状態で上記電池保持壁の弾性力によって各上記突条部で囲まれる空間内に保持することを特徴とする請求項１に記載の補聴器。
【請求項３】各上記突条部は、上記電池保持壁の内壁の開口端に形成しないようにしたことを特徴とする請求項２に記載の補聴器。
【請求項４】上記電池保持手段は、上記ボタン形電池の直径よりも若干大きい直径を有する弾性材からなる電池保持壁に適宜の個数の擦り割りを形成してなり、上記ボタン形電池を上記電池保持壁の内壁に当接した状態で上記電池保持壁の弾性力によって当該電池保持壁で囲まれる空間内に保持することを特徴とする請求項１に記載の補聴器。
【請求項５】上記電池保持壁に電池取出し用の切欠きを設けたことを特徴とする請求項２、３、又は４に記載の補聴器。」（【特許請求の範囲】）
（イ）「本発明は補聴器に関し、特にボタン形電池の着脱が容易な補聴器に適用して好適なものである。」（段落【０００１】）
（ウ）「ケース３１においては・・・・・ケース本体４０の根本部に形成され、円柱状空間の電池室４０Ａを閉塞する電池カバー４２とでなり、ケース蓋体４１をケース本体４０内部に突出した電極４３の端部でなるねじ孔部にねじ止め固定することにより、電池カバー４２をケース本体４０に装着して図１のように組み立てられている。」（段落【００２４】）
（エ）「この場合ケース本体４０及びケース蓋体４１間には、弾性材（例えばゴム材）からなるシールパッキン４４が介挿されており、これによりケース本体４０及びケース蓋体４１間の隙間からケース３１内部に水が浸入するのを防止し得るようになされている。同様にしてケース本体４０及び電池カバー４２間には、弾性材（例えばゴム材）からなるＯリング４５が介挿されており、これによりケース本体４０及び電池カバー４２間の隙間からケース３１内部に水が浸入するのを防止し得るようになされている。」（段落【００２５】〜【００２６】）
（オ）「電池カバー４２は、特に図２からも明らかなように、内側面に突出形成された一対の円弧状の電池保持壁４２Ａ、４２Ｂを有し、当該電池保持壁４２Ａ、４２Ｂで囲まれる空間（以下、この空間を電池保持空間と呼ぶ）４２Ｃ内部においてボタン型の電池を保持し得るようになされている。この電池保持空間４２Ｃは電池の直径より若干大きく形成されている。これによりこの補聴器３０では、電池カバー４２の電池保持空間４２Ｃ内に電池を嵌め込んだ後、当該電池カバーをケース本体に装着することによって電池を電池室内に装填することができ・・・電源を供給することができるようになされている。」（段落【００２７】）
（３）引用文献３：特開平１０−４０８９２号公報（申立人Ａが提示した甲第２号証、申立人Ｂが提示した甲第３号証）
　引用文献３には「電子機器の電池収納ユニット」に関して次の事項が記載されている。
（ア）「本発明は、ボタン型やコイン型などの電池を収納する、防水用のシール機構を備えた電子機器(電気機器)の電池収納ユニットに関する。」（段落【０００１】）
（イ）「ケース１０の上面は、中央部分にボタン電池を収納するための円柱状の収納室１５が凹設されており、収納室内周面１３の下部にはＬ字形をしたロック用溝１６が凹設されている。・・・・電池蓋１１の上面には、コイン等を差し込むための溝１７が設けられ、電池蓋１１の外周面１２の下部には、ケース１０に設けられたロック用溝１６に嵌合するロック用爪１９が突設されている。電池蓋１１の外周面に周設された溝（・・）にはＯリング１８が嵌め込まれており、電池蓋１１の外周面１２と収納室内周面１３の上部との間にシール機構が形成されている。すなわち、・・・電池蓋１１と収納室１５の間を水密的に封止できるようになっている。収納室１５の内周面に設けられたロック用溝１６は、図４（ａ）（ｂ）に示すようにＬ字形に形成されており、Ｌ字形の隅を斜めに傾斜させてスロープ１４が形成されており、スロープ１４の上方が開口２０となっている。・・・しかして、収納室１５に電池を入れた後、電池蓋１１を収納室１５に取り付ける場合には、トック用爪１９をロック用溝１６の開口２０にかめ込むように位置合わせしながら収納室１５の上に電池蓋１１を載置し、Ｏリング１８を弾性的に圧入して電池蓋１１を収納室１５ぶはめ込みながら電池蓋１１の溝１７にコインを差し込んで電池蓋を回転させる。このとき、スロープ１４に沿ってロック用爪１９が下降し、３０〜４５度回転したところでロック用溝１６の奥端に達し、電池蓋１１がロック用溝１６の上の係合部２１で固定される。」（段落【００１１】〜【００１４】)
（４）引用文献４：特開平１１−１６３７４５号公報（申立人Ｂが提示した甲第４号証）
　引用文献４には「ワイヤレス発信器、携帯型ワイヤレス発信器及びカード型ワイヤレス発信器」に関して次の事項が記載されている。
（ア）「本発明は、ワイヤレス発信器、携帯型ワイヤレス発信器及びカード型ワイヤレス発信器に関し、特に、発信させるキャリア電波を選択設定できるようにした、ワイヤレス発信器、携帯型ワイヤレス発信器及びカード型ワイヤレス発信器に関する。」（段落【０００１】）
（イ）「電池収容部２ａ内には、電池１０の正極１０ａに電気的に接触する正極端子１２と、負極１０ｂに電気的に接触する負極端子１３とが設けられている。更に、電池収容部２ａに収容した電池１０は、電池ケース１６内に収容され、電池収容部２ａ内に、保持されるようになっている。より詳しく説明すると、・・・発信器本体２に収納した回路基板１７の、電池収容穴ｈ１の開口に対応した箇所に、負極端子１３を取り付けた構成となっている。」（段落【００２４】）
（ウ）「この例では、電池ケース１６は、その下端に係止爪１６ａ、１６ａ、１６ａを有しており、この爪１６ａ、１６ａ、１６ａにより、電池ケース１６内に電池１０を保持できるようになっており、電池１０を収容した電池ケース１６を電池収容部２ａ内に押し込むと、正極端子１２が、電池１０の正極１０ａに接触して、弾性変形し、・・・接触が確保されるようになっている。且つ、・・・接触が確保されるようになっている。」（段落【００２６】）
（５）引用文献５：特開平１０−２０８７１７号公報（申立人Ｂが提示した甲第５号証）
　引用文献５には「ボタン電池の保持構造」に関して次の事項が記載されている。
（ア）「上ケースと下ケースの結合により構成された電池ケースと、該電池ケース内に設けた収納穴に収納されるボタン電池を蓋体側へ付勢押圧する陰極切片と、該ボタン電池を該収納穴の側方へ付勢押圧する陽極切片とを備えたボタン電池の保持構造において、前記電池ケース内で保持され、前記陰極切片と前記陽極切片を取り付けて、前記収納穴と対向する位置に貫通穴を設け、該貫通穴の周縁には前記蓋体の回転により該蓋体の係合部と係合する被係合部を設けた回路基板を備えたことを特徴とするボタン電池の保持構造。」（【特許請求の範囲】）
（イ）「本発明はボタン電池と称される円筒形薄型の電池を収納保持する電池保持機構に関するものである。」（段落【０００１】）
（ウ）「この蓋穴２９に蓋体７０を取り付けるためには、まず蓋体の係合突片７０ｃ、７０ｃを蓋穴の短突片と長突片が存しない箇所から挿入する。この状態で蓋本体７０ａの表面に設けたスリット７０ｅにマイナスドライバやコイン等の治具により蓋体７０を図５（ａ）に示すＣＬＯＳＥの方向へ回転させると、・・・蓋本体７０ａと係合突片７０ｃ、７０ｃが包み込むように移動する。・・・完了する。」（段落【０００５】）
（エ）「電池ケース１は上ケース１Ａと下ケース１Ｂの結合により構成され、上ケースの表面には挿入するボタン電池１０と蓋体７０を収納するための蓋穴２９が設けられ、該蓋体はボタン電池の直径よりも僅かに大きく設定されている。電池ケース１は内部に回路基板5を収納しており、上ケースと下ケースの結合により保持されている。下ケースの内側に設けた浅溝状の底部２３に配置される弾性を有する板状体の一端を回路基板５に取り付けて固定部３２として陰極切片３１を設け、又、収納穴２１の側部２５には弾性腕３６の一端を回路基板５に取り付け、弾性腕３６の他端を収納穴２１の内部に突出させる板状の陽極切片３５を取り付けることにより電池受けを形成している。」（段落【００１１】）
（オ）「一方、蓋体７０には、蓋穴２９と略等しい形状を有する蓋本体７０ａ、蓋本体の背面側より延出する円筒形状の円筒体７０ｂ、係合部即ち、該円筒体７０ｂの先端から下方向に突出する腕７０ｇ，７０ｇ、該腕の外周側に設けられた溝７０ｈ，７０ｈ、溝上に設けられた係合突部７０ｄ，７０ｄ、より構成されている。」（段落【００１３】）
（カ）「回路基板５に・・・・この状態で蓋本体７０ａの表面に設けたスリット７０ｅにマイナスドライバやコイン等の治具により蓋体７０を図３（ａ）に示すＣＬＯＳＥの方向へ回転させると、短突片５ａ，５ａ及び長突片５ｂ，５ｂに溝７０ｈ，７０ｈが入り込み、短突片に係合突部がしゅう動する。電池ケース表面に設けた目印１ｃと蓋本体の表面に設けた目印７０ｆが一致するまで蓋体を回転させると、係合突部７０ｄ，７０ｄが隙間５ｅ，５ｅに落ち込み回路基板５と蓋体７０との取り付けが完了する。なお、電池交換等で蓋体７０を回路基板５から取り外したいときは、蓋体７０を図３（ａ）に示すＯＰＥＮの方向へ回転させると、係合突部７０ｄ，７０ｄが隙間５ｅ，５ｅから短突片５ａ，５ａを乗り越えて取り外しが可能となる。」（段落【００１４】〜【００１５】）
（６）引用文献６：特開２０００−４８７８６号公報（申立人Ａが提示した甲第４号証）
　引用文献６には「電池ケース」に関して次の事項が記載されている。
（ア）「本発明は、キーレスエントリ用の送信機等に用いられる電池ケースに関する。」（段落【０００１】）
（イ）「また、上記キーレスエントリシステム等に用いられる電池ケースは、降雨の中での使用が想定されるから、防水性能が要求される。そこで、ケース本体７１と蓋体７３の間には防水用の弾性体のＯリング７５が設けられており、蓋板７３をネジ締めすることでＯリング７５が圧縮し、凹部７２を囲むケース本体７１の周壁７６の端面７６ａと蓋板７３の間をシールしている。」（段落【０００４】）
（ウ）「すなわち、電池交換の際には、・・・電池蓋３の両脚板３２を帯状凹部２２に合わせ押し下げると、脚板３２の先端部が凸部２３の傾斜面２３ａに案内され、脚板３２はその可撓性により少しづつ開いていく。・・・脚版３２の先端部が凸部２３を乗り越えると、電池蓋３の係合穴３３とケース本体２の凸部２３とが係合する。・・・一方、電池蓋３が係合穴３３において凸部２３から受ける反力により、Ｏリング４が圧縮状態が保持され、ケース本体２の溝２４底面と蓋板３１の間をシールする。なお、・・・設定しておく。」（段落【００１８】）
（エ）「このように、・・・Ｏリング４が十分に圧縮変形してケース本体２の溝２４底面および電池蓋３への密着性を高め、高い防水性を得ることができ、しかも、係合部の信頼性が向上する。」（段落【００２４】）
（オ）図５（Ａ）或いは（Ｂ）に、ケース本体７１の外表面に「ＣＲ１６１６　３Ｖ」という文字と「矢印」が記入されていることが窺える。
（７）引用文献７：実願昭５９−１３５９３２号（実開昭６１−５１６６４号）のマイクロフイルム（申立人Ａが提示した参考文献５）
　引用文献７には「ボタン型電池収納装置」に関して次の事項が記載されている。
（ア）「摘子１５を設けた電池収納蓋１４の一部に、ボタン型電池１３を保持する弾性圧接部１６を形成したボタン型電池収納装置。」（実用新案登録請求の範囲）、
（イ）「本考案は主として電子計算機、計器類等一般に使用されるボタン型電池収納装置に関するものである。」（第1頁１０〜１３行）
（ウ）「第７図に示す如くマイナス極２４を下側に向けてボタン型電池１３を、電池収納蓋１４に於ける弾性圧接部（１６，１６）の内側壁面（２３，２３）に矢標Ａ方向に圧入する。然る時、ボタン型電池１３は第８図に示す如く電池収納蓋１４に挟圧保持されることとなる。然る後、摘子１５を手指でつまんで電池収納蓋１４をケース１１の電池収納部１２に挿入し該電池収納蓋１４を所定方向に偏角回動せしめる。然る時、弾性圧接部１６の係合凹段部１９は電池収納部１２に於ける内壁１８の係止突部１７の下側面１７Ａに圧接すると同時に電池収納蓋１４の鍔部下側面１４Ａは前記係止突部１７の上側面１７Ｂと圧接する。又ストップ壁面２６は係止突部１７の角部１７Ｃに当接し偏角が停止せしめられる。即ち、バヨネット型の圧接方式となり、電池収納蓋14は電池収納部１２内に固定せしめられることとなる。この時、マイナス極板２０はボタン型電池１３のマイナス極２４と接触し、プラス極板２１はプラス極２５と圧接することとなる。」（第４頁１３行〜第５頁１５行)
（８）引用文献８：特開平９−２６５９６８号公報（原審拒絶理由の引用文献３）
　引用文献８には「電気機器の電池蓋」に関して次の事項が記載されている。
（ア）「本発明は、乾電池を使用する電気機器の電池蓋に関する。」（段落【０００１】）
（イ）【図２】（第３頁）及び【図４】（第５頁）の（ａ）、（ｂ）に、蓋体２の略中央の開口部分に回動自在に保持される開閉操作手段に相当する操作体３の外表面に「開閉用の溝」が設けられているとともに、「ＢＡＴＴＥＲＹ」という文字と「矢印」が記入されていることが窺える。
　　　　　
３−４．対比・判断
３−４−１．本件発明１について
　引用文献１には、記載事項アに「総通水量に基づいて寿命が決まる機器の寿命を示す寿命インジケーターを備えた浄水器用カートリッジに関するものである」ことが記載され、その「インジケーター」について、記載事項イに「回路、通水路を備え、回路は、コイン型のリチウム一次電池を備えている」ことが記載され、また、記載事項ウによると「電池を入れ換えて新たなカートリッジに取り付けて使用することができる」こと、「浄水器が水道管の先端に水道水出口とは別の浄水出口を有するように設けられている」ことが記載されている。これらの記載を本件発明１の記載振りに沿って整理すると「寿命インジケーターの表示回路にコイン型のリチウム一次電池を入れ換え可能に備え、水道管の先端に設けられるカートリッジ浄水器」の発明（以下、「引用１発明」という。）が記載されている。
　そこで、本件発明１と引用１発明を対比すると、両者は、「電池を着脱自在に装着される浄水器」である点で一致し、以下の点で相違する。
相違点ａ：本件発明１が「電池を水密に固定する電池カバーおよび電池ホルダを有し、電池カバーをバヨネット機構により脱着自在に電池ホルダに装着する」のに対して、引用１発明では、電池が交換可能ではあるが、具体的な構成が不明である点
相違点ｂ：本件発明１が「電池ホルダに陽極金具および陰極金具を設け、陽極金具および陰極金具がそれぞれリード線で制御部に結線され、水がリード線をつたって陽極金具、陰極金具、および電池装着部に浸入することが防がれている」のに対し、引用１発明では、かかる構成が不明である点
相違点ｃ：本件発明１が「電池カバーに筒状の電池装着部を設け、その電池装着部に指を引っかけて電池を取り外すことができる切り欠きを設けるとともに、電池装着部の外周において電池装着部に水が侵入するのを防いでいる」のに対して、引用１発明では、かかる構成が不明である点
　そこで、上記相違点について、まず相違点ｂにつき他の証拠に基づいて検討すると、
　引用文献２の記載事項ア〜エには「ボタン形電池を弾性的に保持する電池保持手段を、補聴器ケースに形成した凹部に嵌合することにより、上記電池保持手段が上記凹部の蓋材となると共に上記ボタン形電池が上記補聴器ケースに装填されること」、「電池保持壁に電池取出し用の切欠きを設けたこと」、「ケース本体の根本部に円柱状空間の電池室が形成され、電池カバーで閉塞していること」、及び「ケース本体及び電池カバー間には、弾性材（例えばゴム材）からなるＯリングが介挿されており、これによりケース本体及び電池カバー間の隙間からケース内部に水が浸入するのを防止し得る」と記載されてる。これらの記載から、引用文献２には「電池カバーにボタン形電池を弾性的に保持する電池保持壁が設けられ、該壁に電池取出し用の切欠きを設けられるとともに、ケース本体の電池室と電池カバー間には、Ｏリングが介挿される」ことが記載されているといえる。しかしながら、引用文献２は、本件発明１の浄水器とは技術分野が異なる補聴器に関する文献であり、そこに記載される「ケース本体とケース蓋体或いは電池カバーとの間にはシールパッキン或いはＯリングが介挿されてケース内部に水が浸入するのを防止している」（記載事項エ）ことからみて、引用文献２の補聴器ケースは、このケース本体を外部から防水するものであり、浄水器のようにケース本体内部に通水管路や弁等を有する構造でないことは明らかである。しかも、引用文献２の補聴器は「ケース３１において、ケース蓋体４１をケース本体４０内部に突出した電極４３の端部でなるねじ孔部にねじ止め固定する」（記載事項ウ）と記載があるとおり、ホルダと制御部がリード線で結線されるものではないことから、引用文献２には相違点ｂにおける本件発明１の構成について記載も示唆もされていないといえる。
　また、引用文献３には、記載事項イに「ケースの上面中央部にボタン電池を収納するための円柱状の収納室が凹設され、収納室内周面の下部にはＬ字形をしたロック用溝が凹設され、電池蓋の外周面の下部には、上記ロック用溝に嵌合するロック用爪が突設され、電池蓋の外周面に周設された溝にはＯリングが嵌め込まれている」こと、及び「上記ロック用溝は、Ｌ字形に形成されており、Ｌ字形の隅を斜めに傾斜させてスロープが形成されており、スロープの上方が開口２０となり、スロープに沿ってロック用爪が下降し、３０〜４５度回転したところでロック用溝の奥端に達し、電池蓋がロック用溝の上の係合部で固定される」ことが記載されている。しかしながら、引用文献３は、電子機器の電池収納ユニットに関する文献であり、本件発明１の浄水器とは用途が異なることから、上記引用文献２でみたように構造上違いがあることは明らかであり、またホルダと制御部がリード線で結線されることについても何ら記載がない。そうすると、引用文献３には、電池蓋が電池を収納できる構造ではないことはともかく、相違点ｂにおける本件発明１の構成については、何ら記載も示唆もないといえる。
　また、引用文献４には、記載事項イによると「電池収容部内に正極端子と負極端子とが設けられている」こと、「電池収容部に収容した電池は、電池ケース内に収容され、電池収容部内に保持される」こと、及び「発信器本体に収納した回路基板の、電池収容穴の開口に対応した箇所に、負極端子を取り付けた構成となっている」ことが記載されているといえる。しかしながら、引用文献４は、カード型ワイヤレス発信器に関する文献であり、本件発明１の浄水器とは用途が異なることから、上記引用文献２、３でみたように構造上違いがあることは明らかであり、また、そもそも防水についての発想はない上、ホルダと制御部がリード線で結線されること記載がないことから、引用文献４には、相違点ｂにおける本件発明１の構成については、何ら記載も示唆もないといえる。
　また、引用文献５には、記載事項ア、エ及びオからみて「ボタン電池の保持構造」に関し「上ケースと下ケースの結合により構成された電池ケースと、上ケースの表面には挿入するボタン電池と蓋体を収納するための蓋穴と、該電池ケース内に設けた収納穴に収納されるボタン電池を蓋体側へ付勢押圧する陰極切片と、該ボタン電池を該収納穴の側方へ付勢押圧する陽極切片とを備え」、また「電池ケース内で保持され、陰極切片と陽極切片を取り付けて、収納穴と対向する位置に貫通穴を設け、該貫通穴の周縁には蓋体の回転により該蓋体の係合部と係合する被係合部を設けた回路基板を備える」ことが記載されているといえる。しかしながら、引用文献５は、引用文献２〜４と同様、浄水器に関するものではなく、そこには防水については何ら記載がない上、ホルダと制御部がリード線で結線されることについては記載がないことから、引用文献５には、相違点ｂにおける本件発明１の構成については何ら記載も示唆もないといえる。
　また、引用文献６には「電池ケース」に関し、記載事項ア〜ウからみると「キーレスエントリ用の送信機等に用いられる電池ケースは、降雨の中での使用が想定されるから、防水性能が要求され、ケース本体と蓋体の間には防水用の弾性体のＯリングが設けられ」ることや、「電池蓋の係合穴とケース本体の凸部とが係合する」ことが記載されているといえる。しかしながら、引用文献６の送信機と本件発明１の浄水器とは用途が異なり、またホルダと制御部がリード線で結線されることについても記載がないことから、引用文献２〜５と同様、引用文献６には相違点ｂにおける本件発明１の構成については何ら記載も示唆もないといえる。
　また、引用文献７には、記載事項ウによると「電池収容蓋で電池を保持し、バヨネット機構でケースの電池収納部に装着し、電池収容部にマイナス電極とプラス電極が設けられていること」が記載されているといえる。しかしながら、引用文献７は、電子計算機、計器類等に関する文献であり、本件発明１の浄水器の分野とは異なり、また防水については何ら記載されていない上、ホルダと制御部がリード線で結線されることについても記載がないことから、引用文献７には、相違点ｂにおける本件発明１の構成について記載があるとはいえない。
　また、引用文献８には記載事項ア、イに記載されるとおり、「蓋体の中央の開口部分に回動自在に保持される開閉操作手段に相当する操作体の外表面に「開閉用の溝」が設けられているとともに、「ＢＡＴＴＥＲＹ」という文字と「矢印」が記入されているが、引用文献８は電気機器に関する文献であって、防水あるいはホルダと制御部のリード線による結線については何ら記載がないことから、上記引用文献２〜７でみたとおり、引用文献８には、相違点ｂにおける本件発明１の構成については何ら記載も示唆もないといえる。
　以上のことからみて、引用文献２〜８には、相違点ｂにおける本件発明１の構成について何ら記載も示唆もなく、また、引用文献１〜８を組み合わせても上記相違点ｂにおける本件発明１の構成を容易に想到し得るものともできない。
　なお、申立人Ｂは、回答書で甲第６号証（特開平１１−１８１８５９号公報）、甲第７号証（実願昭６２−１７２５４７号（実開平１−７５９０６号）のマイクロフィルム）、甲第８号証（特開平１１−５１７４１号公報）、甲第９号証（実願昭５８−８１５８６号（実開昭５９−１８７１７４号）のマイクロフィルムを提示して、概ね「請求項１及び２についての訂正事項は、周知技術にすぎないから、周知技術の単なる転用または組み合わせにすぎない」旨（第５頁１７〜２３行）主張している。確かに甲第６〜９号証に見られるように、シール自体は周知の常套手段とはいえる。しかしながら、こ引用文献１〜８には、浄水器に関するものではないことから、ケース本体内部に通水管路や弁等が形成されるものとは構造が異なるものであるから、ケース本体内部を外部からシールする以外に電池ホルダのリード線をシールしようとする動機付けは見当たらないのであるから、この主張を認めることはできない。
　また、引用文献１〜８及び申立人Ｂの甲６〜９号証以外に、申立人Ａは、甲第１号証（実願平５−６０３０１号（実開平７−２４４９２号）のＣＤ）、参考文献１（特開平１０−１１８６４１号公報）、参考文献２（特開２０００−１７６４４６号公報）、参考文献３（実願平２−８５９５５号（実開平４−４３１９２号）のマイクロフィルム）、参考文献４（特開平１１−１７６４０８号公報）、参考文献６（特開昭５１−８８０６２号公報）を提示しているが、これらの文献には、引用文献１〜８に開示される技術事項以上のことが開示されているとはいえない。
　そして、本件発明１は「浄水器において電池を水密に固定する電池カバーおよび電池ホルダを有し、電池カバーをバヨネット機構により脱着自在に電池ホルダに装着するものであって、さらに、電池ホルダに陽極金具および陰極金具を設け、陽極金具および陰極金具がそれぞれリード線で制御部に結線され、水がリード線をつたって陽極金具、陰極金具、および電池装着部に浸入することが防がれている」という構成を具備することによって、電池交換が容易で、電池設置のためのコストアップを防ぐなど本件明細書に記載の効果を奏するものである。
　してみると、本件発明１は、上記相違点ａ、ｃを検討するまでもなく、上記引用文献１〜８に記載された発明に基づいて当業者が容易に発明をすることができたものであるとすることができない。
　　
３−４−２．本件発明２について
　本件発明２は、本件発明１の「水がリード線をつたって陽極金具、陰極金具、および電池装着部に浸入することが防がれており」及び「その電池装着部の外周において電池装着部に水が浸入するのを防いでいる」の構成を、それぞれ水の浸入防止の具体的な手段として具現化し「リード線はゴムキャップを介して電池ホルダーに固定されて」いること、及び「その電池装着部の外周にＯリングを設け」ることに限定するものであり、それは上位概念に対して下位概念の技術事項を規定するものであるから、技術内容に実質的な相違があるものではない。そして、上記構成以外の他の構成は本件発明１と同じである。そうすると、本件発明２と引用１発明とは、上記「３−４−１．本件発明１において」でみた相違点ｂと実質的に同じ相違点を有するのであるから、上記「３−４−１．本件発明１について」でみたとおりの理由により、本件発明１は、他の相違点を検討するまでもなく、引用文献１〜８に記載された発明に基づいて当業者が容易に発明をすることができたものであるとすることができない。
　　
３−４−３．本件発明３〜６について
　本件発明３〜６は、いずれも、本件発明１又は本件発明２を直接的又は間接的に引用し、本件発明１又は本件発明２を更に限定するものであるから、上記「３−４−１．本件発明１について」でみたとおりの理由により、本件発明３〜６は、引用文献１〜８に記載された発明に基づいて当業者が容易に発明をすることができたものであるとすることができない。
　　
４．むずび
　以上のとおりであるから、特許異議の申立の理由及び証拠によっては、本件訂正後の請求項１〜６に係る発明についての特許を取り消すことができない。
　また、他に本件訂正後の請求項１〜６に係る発明の特許を取り消すべき理由を発見しない。
  よって、結論のとおり決定する。
【異議決定日】
平成１７年５月２６日（２００５．５．２６）
【訂正の要旨】
審決（決定）の【理由】欄参照。
（５４）【発明の名称】
浄水器
（５７）【特許請求の範囲】
　【請求項１】
　電池を水密に固定する電池カバーおよび電池ホルダを有し、電池カバーをバヨネット機構により脱着自在に電池ホルダに装着する浄水器であって、電池ホルダに陽極金具および陰極金具を設け
、陽極金具および陰極金具がそれぞれリード線で制御部に結線され、水がリード線をつたって陽極金具、陰極金具、および電池装着部に浸入することが防がれており、さらに、電
　【請求項２】
　電池を水密に固定する電池カバーおよび電池ホルダを有し、電池カバーをバヨネット機構により脱着自在に電池ホルダに装着する浄水器であって、電池ホルダに陽極金具および陰極金具を設け
、陽極金具および陰極金具がそれぞれリード線で制御部に結線され、リード線はゴムキャップを介して電池ホルダーに固定されており、さらに、電
　【請求項３】
　電池カバーの電池ホルダ装着時における外表面に凹部を設けた、請求項１または２に記載の浄水器。
　【請求項４】
　電池カバーの電池ホルダ装着時における外表面に電池の規格および／または電池カバーの回転方向を刻印した、請求項１〜３のいずれかに記載の浄水器。
　【請求項５】
　ボタン形またはコイン形のリチウム電池を装着する、請求項１〜４のいずれかに記載の浄水器。
　【請求項６】
　蛇口に支持固定される蛇口直結型である、請求項１〜５のいずれかに記載の浄水器。
【発明の詳細な説明】
　【発明の属する技術分野】
　本発明は、ろ過カ−トリッジの寿命を表示する手段等のために電池を装着する浄水器に関する。
　【従来の技術】
　従来、ろ過カ−トリッジの交換時期を使用者に表示する浄水器としては、たとえば、特開平１０−１１８６４１号公報に記載されているような、ろ過カ−トリッジに流れた原液あるいはろ液の流量を測定するとともに、これを積算した積算流量が予め設定された寿命到達流量に達した時点で発光ダイオ−ド（以下、ＬＥＤ）を点灯させるものが知られている。使用者はＬＥＤの点灯により、ろ過カ−トリッジが寿命に達し交換が必要であることを知ることができた。
　しかしながら、この浄水器は、流量の測定値を演算したりＬＥＤを点灯するための電源として電池を用いているので、電池を交換する必要があった。
　【発明が解決しようとする課題】
　本発明の課題は、電池が寿命に達して交換が必要であるときに容易に電池を取り外すことができ、また、電池の設置スペ−スのために本体部が著しく大型化したり、重量が著しく増加したりすることがない浄水器を提供することである。
　【課題を解決するための手段】
　上記課題を達成するための本発明は、電池を水密に固定する電池カバーおよび電池ホルダを有し、電池カバーをバヨネット機構により脱着自在に電池ホルダに装着する浄水器であって、電池ホルダに陽極金具および陰極金具を設け
、陽極金具および陰極金具がそれぞれリード線で制御部に結線され、水がリード線をつたって陽極金具、陰極金具、および電池装着部に浸入することが防がれており、さらに、電
　また、本発明は、電池を水密に固定する電池カバーおよび電池ホルダを有し、電池カバーをバヨネット機構により脱着自在に電池ホルダに装着する浄水器であって、電池ホルダに陽極金具および陰極金具を設け
、陽極金具および陰極金具がそれぞれリード線で制御部に結線され、リード線はゴムキャップを介して電池ホルダーに固定されており、さらに、電
　ここで、電池カバーの電池ホルダ装着時における外表面に凹部を設けることや、電池カバーの電池ホルダ装着時における外表面に電池の規格および／または電池カバーの回転方向を刻印することが好ましい。さらに、ボタン形またはコイン形のリチウム電池を装着するものであることが好ましく、蛇口に支持固定される蛇口直結型であることも好ましい。
　【発明の実施の形態】
　以下に、本発明の望ましい実施の形態を、家庭のキッチンなどの蛇口に取り付けられる浄水器を例にとり、図を参照しながら説明する。
　本発明の浄水器は、図１〜図６に示すように、その内部に切換弁を内蔵した本体部２と、ろ材を収納したろ過カ−トリッジ３などから構成されている。本体部２にはレバ−５が設けられ、レバ−５を操作することにより、蛇口４から原水流入口を通って流入した原水をそのままシャワ−水として吐出するか（原水シャワ−）、そのままストレ−ト水として吐出するか（原水ストレ−ト）、ろ過カ−トリッジ３に供給するか、を選択して切り換える。ろ過カ−トリッジ３に供給された原水は、活性炭などの吸着剤や中空糸膜等によってろ過され、浄水流出口から浄水として吐出される。
　まず、本体部２について説明する。
　本体部２は、図４、図５に示すように、切換弁を構成する３個のボ−ル１１ａ、１１ｂ、１１ｃと弁軸１２とを備えた切換弁本体１３、原水シャワ−口１４と、原水ストレ−ト口１５と、浄水流出口１９とを備えた下部ボディ１６、切換弁本体１３が上面に突出する開口部を備えた上部ボディ１７、切換操作を行う弁操作部１８、ろ過カ−トリッジ３を固定するカ−トリッジキャップ９１、流量を積算して、その結果を表示する電装部などから構成されている。
　切換弁本体１３には、リング状のパッキン３６が装着され、蛇口４のおねじ部にねじ込んだアダプタ３７を介して、取付ナット３８を切換弁本体１３に螺合させ、本体部２を蛇口４に取り付けるようになっている。
　切換弁本体１３の内部は、３個の通水路２１ａ、２１ｂ、２１ｃを開設した区画板２２によって、上部室２３と下部室２４とに区画されている。
　上部室２３には、３個のボ−ル１１ａ、１１ｂ、１１ｃが、３個の通水路２１ａ、２１ｂ、２１ｃに対応するように配置されている。ボ−ル１１ａが通水路２１ａにはまり通水路２１ａが閉じた状態で、ボ−ル１１ａの下部が下部室２４に突出するようになっている。ボ−ル１１ｂ、１１ｃについても同様である。
　円筒状の下部室２４には、弁軸１２が回動可能に挿着され、かつ、弁軸１２の所定位置に配設したＯリング２５ａ、２５ｂ、２５ｃが、下部室２４の内壁面と水密的に係合している。これによって下部室２４は３つに区画され、通水路２１ａからろ過カ−トリッジ３に原水を供給する原水供給口２６（図６参照）へ通じる流路３１ａと、通水路２１ｂから原水ストレ−ト口１５へ通じる流路３１ｂと、通水路２１ｃから原水シャワ−口１４へ通じる流路３１ｃとを形成している。
　また、図４に示したように、弁軸１２には、通水路２１ａ、２１ｂ、２１ｃに対向する位置に、カム部２７ａ、２７ｂ、２７ｃが設けられている。これらカム部２７ａ、２７ｂ、２７ｃは、弁軸１２の周方向に例えば６０°ずつずらして設けられており、弁軸１２を６０°ずつ回動することにより選択的に上方を向き、下部室２４に突出したボ−ルの下部を押し上げて通水路を開くことができるようになっている。すなわち、後述の弁操作部１８により弁軸１２を所定角度回動することで、通水路２１ａ、２１ｂ、２１ｃのいずれかを開放し、蛇口４から流入した原水をそのままシャワ−水として吐出するか、そのままストレ−ト水として吐出するか、ろ過カ−トリッジ３に供給するか、を選択できる。
　ボ−ル１１ａ、１１ｂ、１１ｃには、芯体としての金属球にゴムを覆ったものを用いているが、弁体の形状は球体に限らず円錐形でも円筒形でもよく、傘形でもよい。そして、通水路を閉塞したときのシ−ル性を向上させるために、上部室２３に設けたボ−ル１１ａ、１１ｂ、１１ｃをバネ等で上方から通水路方向に付勢してもよい。
　図６、図１０に示すように、切換弁本体１３の側部後方には、ろ過カ−トリッジ３に原水を供給する原水供給口２６と、ろ過カ−トリッジ３から浄水を受け入れる浄水受入口２９とが設けられている。原水供給口２６は流路３１ａに連通しており、浄水受入口２９は浄水送水路３０を介して浄水流出口１９と連通している。浄水送水路３０には、後述する流量検出部１０２の水車１２２と水車支持部材１２３が設けられ、浄水の通水により水車１２２が回転するようになっている。
　次に、ろ過カ−トリッジ３について簡単に説明する。
　ろ過カ−トリッジ３は、図７の横断面図に示すように、容器６１の底部に、原水供給口２６から原水を受け入れる原水受入口６２と、浄水受入口２９に浄水を供給する浄水供給口６３が設けられている。原水受入口６２と浄水供給口６３には、それぞれＯリング７３、７４が設けられ、原水供給口２６と浄水受入口２９に接続した際に外部に水が漏れるのを防止している。
　容器６１の内部底面には円筒状突起６１ａが形成されており、円筒状突起６１ａに、中空糸膜モジュールの円筒体６４の下端がＯリング６５を介して嵌入立設されている。そして、この円筒体６４の外周上下部には、円筒体６４外周面と容器６１の内壁面との間を通過する原水の処理を行う吸着剤層７０を保持するために、リング状のフィルタ６６、６７が固定されている。
　円筒体６４の内部には、複数本の中空糸膜を束ねて逆Ｕ字状に折り曲げた中空糸膜束６８が収納されている。中空糸膜の両端部は、円筒体６４の下部にて各中空糸間および中空糸と円筒体６４との間に充填された硬化性樹脂６９（封止剤）により封止固定（ポッティング）されている。各中空糸膜は、容器６１へ嵌入する前にポッティング部が一部切断除去されているので、末端が浄水供給口６３に向かって開口している。
　そして、円筒体６４の外周面と容器６１の内壁面との間には、活性炭、ゼオライト、イオン交換樹脂、キレ−ト樹脂などからなる吸着剤層７０が配備されている。
　容器６１の上部は、中空糸膜束６８と吸着剤を容易に充填できるよう開口されており、内部の汚れを確認できるように透明キャップ７１が嵌入され、超音波溶着されている。
　上記のように構成されたろ過カートリッジ３は、図６に示したように、本体部２内に装填され、カ−トリッジキャップ９１が、ろ過カ−トリッジ３に覆い被さる位置で下部ボディ１６と上部ボディ１７とにネジ締付固定され、ろ過カ−トリッジ３を所定位置に固定する役目を果たしている。カ−トリッジキャップ９１には、開閉キャップ９２が設けられており、開閉キャップ９２を開くと、カ−トリッジキャップの開口部９３およびろ過部の透明キャップ７１を通じて、中空糸膜の汚れ具合を確認できるようになっている。
　続いて、図３、図６を用いて、弁軸１２を回動操作する弁操作部１８について説明する。
　弁操作部１８は、図６に示すように、レバ−５と、切換弁本体１３に回動可能に支持され、レバ−５と同じ軸回りに回動する駆動軸４１と、一端が下部ボディ１６に固定され他端がレバ−５に固定されたねじりコイルバネ４４などから構成されている。レバー５は、図３に示すように矢印Ａ方向に押し下げると、操作ストッパ−４３に当接するまで反時計方向に（図６を右側面から見た場合）回動し、レバ−５が操作ストッパ−４３に当接した状態で操作をやめて指を離すと、ねじりコイルばね４４により時計方向に回動し、初期位置に戻るようになっている。
　図８は、図５におけるＣ−Ｃ矢視概略断面図であって、レバ−５と駆動軸４１の接続部を示している。図８に示すように、駆動軸４１の一端に嵌入されたラチェット爪部材４７は、レバ−５のラチェット歯４８と噛み合ってラチェット機構を構成している。レバ−５を初期位置から反時計方向（図６を右側面から見た場合）に回動させるときには、駆動軸４１はレバ−５と一体となって反時計方向に４０°回動し、レバ−５が時計方向に回動して初期位置に戻るときには、駆動軸４１は回動しないようになっている。
　図６と、図６におけるＤ−Ｄ矢視概略断面図である図９に示すように、駆動軸４１には平歯車４５が設けられ、弁軸１２に設けられた平歯車４６と噛み合っている。平歯車４５と４６のギヤ比は３：２であるので、平歯車４５が４０°回動すると平歯車４６は６０°回動する。すなわち、レバ−５を１回操作すると、駆動軸４１は４０°回動し、弁軸１２は６０°回動する。ここで、平歯車をはすば歯車ややまば歯車などにしても何ら問題はない。また、ギヤ比を３：２としたが、これに限らず２：１でも３：１でもよい。平歯車４５の歯数を平歯車４６の歯数より大きくすると、駆動軸４１の回動角度に対し弁軸１２の回動角度は大きくなる。すなわちレバ−５の操作角度を小さくしても、弁軸１２の回動角度を十分に大きくすることができる。以上のように、歯車を用いるとギヤ比を選択することで容易にレバ−操作角度を設定でき、しかも確実かつ正確に流路切換ができる。
　そして、駆動軸４１には、図５に示すように、切換状態を示す「浄水」「ストレ−ト」「シャワ−」の文字が４０°毎に各３ヶ所印刷された表示リング５１が固定されている。表示リング５１に印刷された「浄水」「ストレ−ト」「シャワ−」いずれかの文字が、上部ボディ１７の開口部８１から見えるようになっていて、切換状態が容易に確認できる。なお、切換状態を示す表示は、文字、イラスト単独でも、また、それらの組合せでもよい。そして、開口部８１に透明部材８２を取り付けることで、食器洗いのときなどに水が本体部２の内部に入るのを防いだり、表示リング５１が汚れるのを防いだりしている。
　次に、流量を積算して、その結果を表示する電装部（電子回路）について説明する。
　図６、図１０に示したように、電装部は、電源部１０１と、流量検出部１０２と、ろ過カ−トリッジ識別部１０３と、制御部１０４と、液晶表示器１０５などから構成されている。
　電源部１０１は、図１１の分解斜視図に示すように、主に、本体部２に設けた電池ホルダ１１５と、コイン形二酸化マンガンリチウム電池１１１（以下、電池１１１）と、陽極金具１１３および陰極金具１１４と、電池を水密に固定する脱着自在な電池カバ−１１２などから構成される。
　電池カバ−１１２は、筒状の電池装着部１１６を有するとともにその外周にＯリング１１７を有し、電池カバ−１１２がバヨネット機構により電池ホルダ１１５に装着したときに電池装着部１１６に水が浸入するのを防ぐようになっている。筒状の電池装着部１１６には切り欠き１１８が設けられているので、指を引っかけて容易に電池を取り外すことができる。また、電池カバ−１１２の表面には、硬貨を挿入して回すための凹部１１９が設けられ、その周囲に、電池の規格と開閉のための回転方向を示す文字やイラストが刻印されている。したがって、使用者は、電池の規格と電池カバ−１１２の回転方向を確認した上で、コインを使って電池カバ−１１２を電池ホルダ１１５から取り外し、電池を交換することができる。
　電池ホルダ１１５内に設けられた陽極金具１１３および陰極金具１１４は、それぞれリ−ド線で図６に示す制御部１０４に結線されており、電池１１１による電力が制御部１０４に供給される。リ−ド線は、ゴムキャップ１２０を介して電池ホルダ１１５に固定されており、このゴムキャップ１２０が、水がリ−ド線をつたって陽極金具１１３、陰極金具１１４さらには電池装着部１１６内に浸入するのを防止している。
　電池は、一次電池でも二次電池であってもよく、比較的高い電圧で、長期間安定して電力を供給できる二酸化マンガンリチウム電池などのリチウム電池のほか、アルカリ乾電池、マンガン乾電池、酸化銀電池、空気亜鉛電池などでもよい。また、形状は、軽量で大きな設置スペ−スを必要としないボタン形、コイン形などの小形電池が好ましい。小形電池の場合、本体部が著しく大型化したり著しく重量増加することはなく、また、大幅なコストアップにもならない。
　流量検出部１０２は、図１０および図１２〜図１４に示すように、主に、磁石１２１を埋設した水車１２２と、水車１２２を回転可能に支持する水車支持部材１２３と、磁石の回転に応じて開閉する磁気スイッチ１２４と、磁気スイッチ１２４を支持固定する磁気スイッチホルダ１２５とから構成されている。
　水車１２２は、円柱形の軸部１３１に２枚の羽根１３２、１３３が形成されてなり、軸部１３１の一端には水車支持部材１２３の軸１２６が挿入される回転軸穴１３４が設けられ、他端には磁石１２１が埋設される磁石取付穴１３５が設けられている。
　磁石１２１は、そのＮ極・Ｓ極を結ぶ直線と水車１２２の回転軸とが垂直になるように磁石取付穴１３５に挿入し、脱落を防止するとともに接水による発錆を防止するために、磁石取付穴１３５の開口部に栓部材を被せ接着したり溶着する。磁石１２１の脱落および発錆を防止するためには、磁石１２１を磁石取付穴１３５に挿入した後、磁石取付穴１３５の開口部を硬化性樹脂１３６（封止材）で封止することも好ましい。硬化性樹脂としては、より安全性の高いポリウレタン樹脂が好ましいが、エポキシ樹脂や、その他の封止材、接着剤を用いてもよい。磁石１２１の錆を防止するためには、磁石そのものをコ−ティングすることも好ましい。また、磁石１２１には、磁力が強い希土類磁石のほか、フェライト磁石などを使用してもよい。
　水車１２２は、図１０に示すように、浄水送水路３０内で回転可能なように、水車支持部材１２３によって下流側から軸支されている。水車１２２は、その回転軸が浄水の送水方向に平行な軸流型であっても直交するものであってもよい。また、水車の羽根は２枚としているが、１枚でもよく、３枚以上でもよい。さらに、水車を、ろ過カ−トリッジ３の下流側の浄水送水路３０に設けたが、上流側に設けてもよい。この場合は、水車１２２にゴミ等が引っかからないよう、さらに上流側にプレフィルタを設けることが好ましい。
　磁気スイッチ１２４は、図１４に示すように、磁気スイッチホルダ１２５に挿入され、硬化性樹脂１３７（封止材）により封止固定されている。磁気スイッチ１２４の２つの端子はリ−ド線により図１０に示す制御部１０４と結線されており、磁気スイッチ１２４の開閉によるパルス信号が制御部１０４に伝達される。磁気スイッチ１２４を収容した磁気スイッチホルダ１２５は、図６に示すように、浄水送水路３０の外周に接し、かつ、水車１２２の近傍に固定されている。
　このように構成された流量検出部１０２は、浄水が流れることにより水車１２２が回転し、水車１２２に埋設された磁石１２１が回転し、それに応じて磁界が変化する。磁石１２１が１回転することにより磁気スイッチ１２４は２回開閉して、その結果、２周期分のパルス信号が発信され、制御部１０４に伝達される。
　次に、制御部１０４と液晶表示器１０５について、図６、図１６を用いて説明する。
　制御部１０４は、主に、ＣＰＵが設けられた回路基板１５１と、回路基板１５１を収納する透明の基板ホルダ１５２と、回路基板１５１を基板ホルダ１５２に支持固定する基板枠１５３とから構成されている。ＣＰＵは、電源部１０１から電力供給を受け、流量検出部１０２からのパルス信号と、ろ過カ−トリッジ識別部１０３からの信号に基づいて演算を行い、液晶表示器１０５に出力信号を送るようになっている。回路基板１５１には、リセットボタン１５４が設けられ、外部からの操作でリセットボタン１５４を押して積算流量のデ−タ等をリセットできるようになっている。そして、リセットボタン１５４の上方に回路基板１５１への水の浸入を防ぐスイッチゴム１５６を配置し、そのスイッチゴム１５６によって、リセットボタンを間接的に操作することが好ましい。
　液晶表示器１０５は、回路基板１５１に直接、支持固定された状態で、本体部２の前方上部に位置し、使用者が使用中に見やすいようになっている。この液晶表示器１０５は、回路基板から離れた位置に配置しリ−ド線等で結線することも可能だが、回路基板１５１に直接、支持固定したほうが信号を確実に伝達できる。また、外部から水が浸入して回路基板１５１が誤作動するのを防止するため、基板ホルダ１５２に、その開口部から回路基板１５１と液晶表示器１０５とを挿入し基板枠１５３で固定した状態で、開口部を硬化性樹脂１５５（封止材）で封止して防水加工をすることが好ましい。このように防水加工を施すことにより、各部品に対して個別に防水加工を施す必要がなく、製造工程の簡略化、製造コストの低減が可能になる。硬化性樹脂１５５としては、２液混合型のポリウレタン樹脂やエポキシ樹脂などを用いればよい。
　液晶表示器１０５には、図１７に示すように、枠１６７とその中に設けられた３個のブロックＡ、Ｂ、Ｃからなるろ過カ−トリッジ交換表示素子１６１と、電池交換表示素子１６２と、カ−トリッジ種類表示素子１６３とが設けられており、それらが点灯、消灯、点滅することで、カートリッジの寿命、電池の寿命、カートリッジの種類を表示する。これらろ過カートリッジ交換表示素子１６１、電池交換表示素子１６２、カートリッジ種類表示素子１６３は、個々に独立して設けてもよいが、本実施態様のように１つの液晶表示器にまとめて設けることにより、省スペース化を図ることができ、また、使用者が一目で多数の情報を読み取ることができるので好ましい。
　次に、図１０中のろ過カ−トリッジ識別部１０３について、図１５の概略縦断面図を用いて説明する。
　ろ過カ−トリッジ識別部１０３は、主に、導電部材１４２を密着させたゴムスイッチ１４３と、導電部材１４２との２つの接点を有する識別基板１４１と、それらを収納する識別部ハウジング１４４とから構成されている。
　識別基板１４１の２つの接点は、リ−ド線により制御部１０４と結線されており、２つの接点の開閉が制御部１０４に伝達されるようになっている。
　ゴムスイッチ１４３は、識別基板１４１と重ねるようにして識別部ハウジング１４４に収納されている。ろ過カ−トリッジ３の底部に設けた突起７２により、スイッチ操作穴１４５を通してゴムスイッチ１４３を押すと、導電部材１４２が識別基板１４１の２つの接点に接触し、回路が閉じ電流が流れるようになっている。ろ過カ−トリッジを取り外したことにより突起７２が離れると、弾性によりゴムスイッチ１４３が初期状態に戻り、接点が開く。ろ過カ−トリッジの底部に突起が設けられていない場合は、接点が開いたままである。すなわち、この接点の開閉信号により、底部に突起を設けたろ過カ−トリッジと、突起を設けていないカ−トリッジとを識別することができる。ゴムスイッチ１４３は、スイッチ操作穴１４５から識別基板１４１側に水が浸入するのを防ぐ役目も果たしている。
　なお、突起の替わりに底部に凹みを設けたカ−トリッジと、凹みを設けないカ−トリッジを識別する機構を採用してもよい。また、スイッチ操作穴、ゴムスイッチおよび識別基板を複数個設け、３種類以上のカ−トリッジの識別を可能にしてもよい。さらに、突起とゴムスイッチの替わりに、バ−コ−ドとバ−コ−ドリ−ダの組み合わせや、磁石と磁気スイッチの組み合わせを用いてもよい。
　続いて、以上のように構成された浄水器１の作用について説明する。
　図４は、原水が原水シャワ−口１４から吐出される状態を示している。蛇口を開くと、原水は、原水流入口２８から流入し、水流緩和部材３９でその勢いが緩和された後、カム部２７ｃがボ−ル１１ｃを押し上げて開放している通水路２１ｃを通過して、原水シャワ−口１４から吐出される。このとき、開口部８１からは表示リング５１に記された「シャワー」の文字が見える。
　ここで、図１に示すレバ−５を操作して、操作ストッパ−４３に当たるまで回動させると、図８に示すラチェット機構を介してレバ−５に接続されている駆動軸４１が４０°回動する。同時に平歯車４５から４６へ回動が伝達され、弁軸１２が正確に６０°回動する。すると、弁軸１２のカム２７ｃに替わりカム２７ｂが上方を向き、通水路２１ｃが閉じて通水路２１ｂが開く。その結果、原水は通水路２１ｃを通過して原水ストレ−ト口１５から吐出される。このとき、開口部８１からは表示リング５１に記された「ストレ−ト」の文字が見える。
　次に、レバ−５から指を離すと、ねじりコイルばね４４によりレバ−５は逆方向に回動し、初期位置に戻って停止する。このとき、ラチェット機構を介して接続された駆動軸４１は回動せず、弁軸１２も表示リング５１も回動しない。
　レバ−５をもう一度押し下げると、同様に弁軸１２が正確に６０°回動し、通水路２１ｂが閉じて通水路２１ａが開く。この結果、原水は通水路２１ａを通過して原水供給口２６に流れる。そして、図７に示す原水受入口６２からろ過カ−トリッジ３に流入し、活性炭などの吸着剤と中空糸膜によってろ過される。ろ過された水は、浄水供給口６３から浄水受入口２９に流れ、浄水送水路３０を通過して浄水流出口１９から吐出される（図１０参照）。このとき、開口部８１からは表示リング５１に記された「浄水」の文字が見え、また、浄水送水路３０に流れる浄水により水車１２２が回転し、流量検出部１０２によって制御部１０４にパルス信号が送られ、そのパルス信号の周期が浄水の流量として積算される。
　そして、この浄水の積算流量に応じて、ろ過カートリッジの残存寿命が液晶表示器１０５のろ過カ−トリッジ交換表示素子１６１に表示される。すなわち、ろ過カ−トリッジ交換表示素子１６１は、図１７に示すように、ろ過カ−トリッジ使用開始時に枠１６７とブロックＡ、Ｂ、Ｃの全てが点灯しているが、浄水の積算流量に対応するパルスの積算カウント数が予め設定した第１の設定値に達したら、ブロックＡ１６４が消灯し、さらに第２の設定値に達したら、ブロックＢ１６５が消灯する。さらに、ろ過カ−トリッジを交換しなければならない積算流量に近づいたら（第３の設定値）、ブロックＣ１６６が消灯するとともに枠１６７が点滅し、ろ過カ−トリッジの交換を使用者に促す。使用者が、新しいろ過カ−トリッジに交換してリセットボタン１５４を押せば、積算カウント数がゼロに戻り、ろ過カ−トリッジ交換表示素子１６１も初期表示に戻る。
　また、液晶表示器１０５は、電池の電圧が予め設定した値以下に低下した時点で電池交換表示素子１６２を点滅し、使用者に電池の交換を促すようになっている。したがって、使用者は電池の使用開始時期と説明書等に記載されている電池寿命をわざわざ記憶しておく必要がない。そのため、電池寿命を忘れたために電池の交換ができずろ過カ−トリッジ使用中に積算流量のデ−タが消滅してしまうこともなく、適切な時期に電池交換が行える。使用者が新しい電池に交換すれば電池交換表示素子１６２は自動的に消灯するようになっている。なお、消費電力が使用状況に関わらずほぼ一定である場合は、浄水の積算流量や、浄水の通水時間の積算値や、浄水を通水していない時間の積算値などから、消灯から点灯に変わるタイミングを決めても差し支えない。なお、電池交換表示素子１６２は、電池使用開始時には消灯し、電池の寿命に近づいたときに点滅するというように構成しているが、前述のろ過カ−トリッジ交換表示と同様に段階的に表示してもよい。
　さらに、液晶表示器１０５は、カ−トリッジ種類表示素子１６３が前述したろ過カ−トリッジ識別部１０３からの信号に基づいて点灯、消灯することにより、装着しているカートリッジの種類を表示する。たとえば、底部に突起を設けた有機物の除去率が高いカ−トリッジ（以下、高除去カ−トリッジ）を装着した場合には点灯し、底部に突起が無い標準カ−トリッジを装着した場合には消灯する。ここで、カ−トリッジの寿命も異なる場合に、前述したろ過カ−トリッジ交換表示に関する第１〜３の設定値は、高除去カ−トリッジ用と標準カ−トリッジ用にそれぞれ記憶されていて、ろ過カ−トリッジ識別部１０３からの信号に基づいて自動的に選択される。これにより、カートリッジの種類に合わせたカートリッジ残存寿命が表示されるので、使用者は、使用しているカートリッジの種類とろ過能力、使用開始時期をわざわざ記憶しておかなくでも適切な時期にろ過カートリッジを交換できる。
　そして、この液晶表示器１０５は、ろ過カートリッジ３を使用しない場合には消灯する。すなわち、回路基板１５１のＣＰＵが、浄水の通水が停止して流量検出部１０２からのパルス信号が停止した（磁気スイッチ１２４が開または閉の状態が一定時間以上続いた）ことを検知してスリ−プモ−ドに切り替わり、液晶表示器１０５を消灯する。この切り替えによって電池の電力消費が大幅に抑えられ、電池を長期間使用できる。なお、電池交換直後とリセットボタン操作直後には一定時間だけスリ−プモ−ドを解除し、液晶表示器１０５を点灯させる。これは、使用者が、正しく電池を装着できたことや、正しくデ−タをリセットできたことを確認するためである。
　本発明は以下のように変形実施することができる。
　（１）前述の実施態様において、ろ過カ−トリッジ交換表示素子１６１はブロックを段階的に消灯させる方式としたが、段階的に点灯させる方式でもよい。また、積算流量を数値で表示する方式でも、さらには減算式、加算式いずれでもよい。
　（２）前述の実施態様では表示部に液晶表示器１０５を用いたが、ブザ−やスピ−カ−を設けて発信音や音声を同時に発すれば、使用者はさらにわかりやすくなる。
　（３）前述の実施態様では、制御部１０４にリセットボタン１５４を設けて手動でリセットするように構成したが、ろ過カ−トリッジ識別部１０３と同様、ろ過カ−トリッジ３の装着部近傍にリセットボタンを設け、ろ過カ−トリッジ３の脱着を検知してリセットを行う方式でもよい。
　（４）前述の実施態様では、ろ過カ−トリッジ識別部１０３によりろ過カ−トリッジの種類を識別したが、ろ過カ−トリッジの種類を手動で入力する入力ボタンを設けてもよい。また、リセットボタンを一定時間以上押し続けることでカ−トリッジの種類を入力するもの、すなわち入力ボタンとリセットボタンを兼用したものにすれば製造コストが抑えられる。
　（５）前述の実施態様では磁気スイッチ１２４を用いて流量を検出したが、減速歯車機構と電気的接点を用いる方法や、ダイヤフラムなど通水によって変形する部材と電気的接点を用いる方法などを採用してもよい。
　（６）前述の実施形態ではラチェット機構を用い、レバ−５の上下動で切換操作を行ったが、レバ−の停止位置に応じて切換状態が換わる方式でもよい。
　（７）前述の実施形態では弁体にボ−ルを用いた切換弁としたが、ゴムパッキンやＯリングを装着した回動軸で流路の開閉を行う切換弁でもよい。
　（８）前述の実施形態は蛇口に支持固定する浄水器だが、ろ過カ−トリッジをシンク付近に置く据置型浄水器や、シンクの下にろ過カ−トリッジを置くアンダ−シンク型浄水器や、蛇口に接続せずに使用するピッチャ−型浄水器として実施することもできる。また、アルカリイオン整水器やミネラル生成器として実施することもできる。
　【発明の効果】
　本発明の浄水器は、電池を水密に固定する電池カバーおよび電池ホルダを有し、電池カバーをバヨネット機構により脱着自在に電池ホルダに装着する浄水器であって、電池ホルダに陽極金具および陰極金具を設け
、陽極金具および陰極金具がそれぞれリード線で制御部に結線され、水がリード線をつたって陽極金具、陰極金具、および電池装着部に浸入することが防がれており、さらに、電
、電池を水密に固定する電池カバーおよび電池ホルダを有し、電池カバーをバヨネット機構により脱着自在に電池ホルダに装着する浄水器であって、電池ホルダに陽極金具および陰極金具を設け、陽極金具および陰極金具がそれぞれリード線で制御部に結線され、リード線はゴムキャップを介して電池ホルダーに固定されており、さらに、電池カバーに筒状の電池装着部を設け、その電池装着部に指を引っかけて電池を取り外すことができる切り欠きを設けるとともに、
【図面の簡単な説明】
　【図１】本発明の一実施態様を示す浄水器の正面図である。
　【図２】図１に示す浄水器の上面図である。
　【図３】図１に示す浄水器の右側面図である。
　【図４】図２に示す浄水器のＡ−Ａ縦断面図である。
　【図５】図２に示す浄水器のＢ−Ｂ縦断面図である。
　【図６】図１に示す浄水器の横断面図である。
　【図７】ろ過カ−トリッジの横断面図である。
　【図８】図５に示す浄水器におけるレバ−と駆動軸との接続部のＣ−Ｃ矢視断面図である。
　【図９】図６に示す浄水器のＤ−Ｄ矢視断面図である。
　【図１０】図４に示す浄水器のＥ−Ｅ矢視断面図である。
　【図１１】電源部の分解斜視図である。
　【図１２】流量計測部の分解斜視図である。
　【図１３】図１２における水車と水車支持部材の断面図である。
　【図１４】図１２における磁気スイッチと磁気スイッチホルダの断面図である。
　【図１５】ろ過カ−トリッジ識別部の縦断面図である。
　【図１６】図６に示す浄水器における制御部のＦ−Ｆ矢視断面図である。
　【図１７】液晶表示器の概略図である。
　【符号の説明】
　１：浄水器　　　　　　　　　　２：本体部
　３：ろ過カ−トリッジ　　　　　４：蛇口
　５：レバ−　　　　　　　　　　１１ａ：ボール
　１１ｂ：ボール　　　　　　　　１１ｃ：ボール
　１２：弁軸　　　　　　　　　　１３：切換弁本体
　１４：原水シャワー口　　　　　１５：原水ストレート口
　１６：下部ボディ　　　　　　　１７：上部ボディ
　１８：弁操作部　　　　　　　　１９：浄水流出口
　２１ａ：通水路　　　　　　　　２１ｂ：通水路
　２１ｃ：通水路　　　　　　　　２２：区画板
　２３：上部室　　　　　　　　　２４：下部室
　２５ａ：ｏリング　　　　　　　２５ｂ：ｏリング
　２５ｃ：ｏリング　　　　　　　２６：原水供給口
　２７ａ：カム部　　　　　　　　２７ｂ：カム部
　２７ｃ：カム部　　　　　　　　２８：原水流入口
　２９：浄水受入口　　　　　　　３０：浄水送水路
　３１ａ：流路　　　　　　　　　３１ｂ：流路
　３１ｃ：流路　　　　　　　　　３６：パッキン
　３７：アダプタ　　　　　　　　３８：取付ナット
　３９：水流緩和部材　　　　　　４１：駆動軸
　４３：操作ストッパー　　　　　４４：ねじりコイルばね
　４５：平歯車　　　　　　　　　４６：平歯車
　４７：ラチェット爪部材　　　　４８：ラチェット歯
　５１：表示リング　　　　　　　６１：容器
　６１ａ：円筒状突起　　　　　　６２：原水受入口
　６３：浄水供給口　　　　　　　６４：円筒体
　６５：ｏリング　　　　　　　　６６：フィルタ
　６７：フィルタ　　　　　　　　６８：中空糸膜束
　６９：硬化性樹脂　　　　　　　７０：吸着剤層
　７１：透明キャップ　　　　　　７２：突起
　７３：ｏリング　　　　　　　　７４：ｏリング
　８１：開口部　　　　　　　　　８２：透明部材
　９１：カ−トリッジキャップ　　９２：開閉キャップ
　９３：開口部　　　　　　　　　１０１：電源部
　１０２：流量検出部　　　　　　１０３：ろ過カ−トリッジ識別部
　１０４：制御部　　　　　　　　１０５：液晶表示器
　１１１：電池　　　　　　　　　１１２：電池カバ−
　１１３：陽極金具　　　　　　　１１４：陰極金具
　１１５：電池ホルダ　　　　　　１１６：電池装着部
　１１７：ｏリング　　　　　　　１１８：切り欠き
　１１９：凹部　　　　　　　　　１２０：ゴムキャップ
　１２１：磁石　　　　　　　　　１２２：水車
　１２３：水車支持部材　　　　　１２４：磁気スイッチ
　１２５：磁気スイッチホルダ　　１２６：軸
　１３１：軸部　　　　　　　　　１３２：羽根
　１３３：羽根　　　　　　　　　１３４：回転軸穴
　１３５：磁石取付穴　　　　　　１３６：硬化性樹脂
　１３７：硬化性樹脂　　　　　　１４１：識別基板
　１４２：導電部材　　　　　　　１４３：ゴムスイッチ
　１４４：識別部ハウジング　　　１４５：スイッチ操作穴
　１５１：回路基板　　　　　　　１５２：基板ホルダ
　１５３：基板枠　　　　　　　　１５４：リセットボタン
　１５５：硬化性樹脂　　　　　　１５６：スイッチゴム
　１６１：ろ過カ−トリッジ交換表示素子
　１６２：電池交換表示素子　　　１６３：カ−リッジ種類表示素子
　１６４：ブロックＡ　　　　　　１６５：ブロックＢ
　１６６：ブロックＣ　　　　　　１６７：枠